(57)【特許請求の範囲】
【請求項１】
ユーザデータを記録するユーザデータ記録領域と、ユーザデータ記録領域の構成を示す管理情報を記録する管理情報記録領域とを備える記録担体を読み取ってデータを再生するための担体再生装置であって、
前記記録担体を読み取ってデータを再生するデータ再生手段と、
灯光機構の点灯と消灯とを切り換えることにより各種の情報を表示する表示手段と、
前記データ再生手段が前記記録担体の管理情報記録領域を読み取って再生したデータから管理情報を取得することにより前記記録担体のユーザデータ記録領域に記録されているデータの記録モードを特定し、前記データ再生手段が前記記録担体のユーザデータ記録領域を読み取って再生したデータの記録モードに合わせて、前記表示手段が情報を表示している状態で、灯光機構の点灯と消灯とを記録モードに対応した時間ごとに切り換えることにより、記録モードを識別可能にして前記表示手段に情報を表示させる動作制御手段とを備える、
ことを特徴とする担体再生装置。
【請求項２】
光磁気ディスクに記録されているデータを再生する光磁気ディスク再生装置であって、
前記光磁気ディスクを読み取ってデータを再生するデータ再生手段と、
灯光機構の点灯と消灯とを切り換えることにより各種の情報を表示する表示手段と、
前記データ再生手段が前記光磁気ディスクを読み取って再生したデータからＵ−ＴＯＣ（User's Table Of Contents）を取得することにより前記光磁気ディスクに記録されているデータの記録モードを特定し、前記データ再生手段が前記光磁気ディスクから再生したデータの記録モードに合わせて、前記表示手段が情報を表示している状態で、灯光機構の点灯と消灯とを記録モードに対応した時間ごとに切り換えることにより、記録モードを識別可能にして前記表示手段に情報を表示させる動作制御手段とを備える、
ことを特徴とする光磁気ディスク再生装置。
【請求項３】
前記動作制御手段は、前記データ再生手段が前記光磁気ディスクを読み取って再生したデータより取得したＵ−ＴＯＣから、前記光磁気ディスクのトラックごとの記録モードを特定する、
ことを特徴とする請求項２に記載の光磁気ディスク再生装置。
【請求項４】
ユーザデータを記録するユーザデータ記録領域と、ユーザデータ記録領域の構成を示す管理情報を記録する管理情報記録領域とを備える記録担体を読み取ってデータを再生するための担体再生方法であって、
担体読出機構が、前記記録担体を読み取ってデータを再生するデータ再生ステップと、
灯光機構の点灯と消灯とを切り換えることにより各種の情報を表示する表示ステップと、
前記データ再生ステップにて前記記録担体の管理情報記録領域を読み取って再生されたデータから、プロセッサが、管理情報を取得することにより、前記記録担体のユーザデータ記録領域に記録されているデータの記録モードを特定し、前記担体読出機構が前記記録担体のユーザデータ記録領域を読み取って再生したデータの記録モードに合わせて、灯光機構の点灯と消灯とを記録モードに対応した時間ごとに切り換えることにより、記録モードを識別可能にして情報を表示させる動作制御ステップとを備える、
ことを特徴とする担体再生方法。
【請求項５】
光磁気ディスクに記録されているデータを再生するための光磁気ディスク再生方法であって、
担体読出機構が、前記光磁気ディスクを読み取ってデータを再生するデータ再生ステップと、
灯光機構の点灯と消灯とを切り換えることにより各種の情報を表示する表示ステップと、
前記データ再生ステップにて前記光磁気ディスクを読み取って再生されたデータから、プロセッサが、Ｕ−ＴＯＣ（User's Table Of Contents）を取得することにより、前記光磁気ディスクに記録されているデータの記録モードを特定し、前記担体読出機構が前記光磁気ディスクから再生したデータの記録モードに合わせて、灯光機構の点灯と消灯とを記録モードに対応した時間ごとに切り換えることにより、記録モードを識別可能にして情報を表示させる動作制御ステップとを備える、
ことを特徴とする光磁気ディスク再生方法。
【請求項６】
コンピュータを、
ユーザデータを記録するユーザデータ記録領域と、ユーザデータ記録領域の構成を示す管理情報を記録する管理情報記録領域とを備える記録担体を読み取ってデータを再生するデータ再生手段と、
灯光機構の点灯と消灯とを切り換えることにより各種の情報を表示する表示手段と、
前記データ再生手段が前記記録担体の管理情報記録領域を読み取って再生したデータから管理情報を取得することにより前記記録担体のユーザデータ記録領域に記録されているデータの記録モードを特定し、前記データ再生手段が前記記録担体のユーザデータ記録領域を読み取って再生したデータの記録モードに合わせて、前記表示手段が情報を表示している状態で、灯光機構の点灯と消灯とを記録モードに対応した時間ごとに切り換えることにより、記録モードを識別可能にして前記表示手段に情報を表示させる動作制御手段、
として機能させるためのプログラムを記録した、コンピュータ読み取り可能な記録媒体。
【発明の詳細な説明】
【０００１】
【発明の属する技術分野】
この発明は、例えば光磁気ディスクといった、異なる記録モードで楽曲データ等の情報を記録可能な記録担体を再生する担体再生装置に係り、特に、記録担体に記録されているデータの記録モードを簡単且つ明確に確認可能とする担体再生装置に関する。
【０００２】
【従来の技術】
楽曲データといった音声情報等のデータを、異なる記録モードを用いて記録可能な記録担体として、例えばＭＤ（Mini Disc〜商標）といった光磁気ディスク等が知られている。例えば、ＭＤといった光磁気ディスクでは、データを、モノラルモードやステレオモード、ＡＴＲＡＣ３−ＬＰ２（Adaptive TRansfer Acoustic Coding 3-Long Play 2）モード、ＡＴＲＡＣ３−ＬＰ４モード等を用いて記録することができる。これらの記録モードのうちのいずれかを選択することにより、例えば、データの圧縮率や記録時間、音質等を変更することができる。
【０００３】
こうした異なる記録モードを用いて記録可能な記録担体からデータを再生する従来の担体再生装置では、再生中の楽曲データ等の記録モードを確認可能とするために、表示部が備えるレベルメータの点灯と消灯とを、再生中の楽曲データに対応するトラックごとに切り換えていた。ここでレベルメータは、ＬＥＤ（発光ダイオード）等を用いて点灯と消灯とを切り換えることにより、所定の情報を示すための灯光機構である。
例えば、モノラルモードで記録されている楽曲データを再生するときには、トラック番号が同一の楽曲データが再生されている間、モノラルモードであることを示すレベルメータを継続して点灯させていた。
【０００４】
【発明が解決しようとする課題】
上記従来技術では、記録モードに対応して設けられたレベルメータといった灯光機構の点灯と消灯とを切り換えることにより、記録モードを確認可能に表示していた。
このため、記録モードに対応したレベルメータを予め設置しなければならず、例えばＡＴＲＡＣ３−ＬＰ２モードやＡＴＲＡＣ３−ＬＰ４モードといった、新しい記録モードが確認できなくなることがあった。
【０００５】
この発明は、上記実状に鑑みてなされたものであり、記録担体から再生されたデータの記録モードを簡単且つ明確に確認可能とする担体再生装置を、提供することを目的とする。
【０００６】
【課題を解決するための手段】
上記目的を達成するため、この発明の第１の観点に係る担体再生装置は、
ユーザデータを記録するユーザデータ記録領域と、ユーザデータ記録領域の構成を示す管理情報を記録する管理情報記録領域とを備える記録担体を読み取ってデータを再生するためのものであって、
前記記録担体を読み取ってデータを再生するデータ再生手段と、
例えばダイオード・セグメントといった、灯光機構の点灯と消灯とを切り換えることにより各種の情報を表示する表示手段と、
前記データ再生手段が前記記録担体の管理情報記録領域を読み取って再生したデータから管理情報を取得することにより前記記録担体のユーザデータ記録領域に記録されているデータの記録モードを特定し、前記データ再生手段が前記記録担体のユーザデータ記録領域を読み取って再生したデータの記録モードに合わせて、前記表示手段が情報を表示している状態で、灯光機構の点灯と消灯とを記録モードに対応した時間ごとに切り換えることにより、記録モードを識別可能にして前記表示手段に情報を表示させる動作制御手段とを備える、
ことを特徴とする。
【０００７】
この発明によれば、動作制御手段は、データ再生手段が記録担体の管理情報記録領域を読み取って再生したデータから管理情報を取得することにより、記録担体のユーザデータ記録領域に記録されているデータの記録モードを特定する。また、動作制御手段は、データ再生手段が記録担体のユーザデータ記録領域を読み取って再生したデータの記録モードに合わせて、表示手段が情報を表示している状態で、灯光機構の点灯と消灯とを記録モードに対応した時間ごとに切り換えさせる。
これにより、記録担体から再生したデータの記録モードを簡単且つ明確に確認可能となる。
【０００８】
この発明の第２の観点に係る光磁気ディスク再生装置は、
光磁気ディスクに記録されているデータを再生するものであって、
前記光磁気ディスクを読み取ってデータを再生するデータ再生手段と、
例えばダイオード・セグメントといった、灯光機構の点灯と消灯とを切り換えることにより各種の情報を表示する表示手段と、
前記データ再生手段が前記光磁気ディスクを読み取って再生したデータからＵ−ＴＯＣ（User's Table Of Contents）を取得することにより前記光磁気ディスクに記録されているデータの記録モードを特定し、前記データ再生手段が前記光磁気ディスクから再生したデータの記録モードに合わせて、前記表示手段が情報を表示している状態で、灯光機構の点灯と消灯とを記録モードに対応した時間ごとに切り換えることにより、記録モードを識別可能にして前記表示手段に情報を表示させる動作制御手段とを備える、
ことを特徴とする。
【０００９】
この発明によれば、動作制御手段は、データ再生手段が光磁気ディスクを読み取って再生したデータからＵ−ＴＯＣを取得することにより、光磁気ディスクに記録されているデータの記録モードを特定する。また、動作制御手段は、データ再生手段が光磁気ディスクから再生したデータの記録モードに合わせて、表示手段が情報を表示している状態で、灯光機構の点灯と消灯とを記録モードに対応した時間ごとに切り換えさせる。
これにより、光磁気ディスクから再生したデータの記録モードを簡単且つ明確に確認することができる。
【００１０】
ここで、前記動作制御手段は、前記データ再生手段が前記光磁気ディスクを読み取って再生したデータより取得したＵ−ＴＯＣから、前記光磁気ディスクのトラックごとの記録モードを特定することが望ましい。
【００１１】
この発明の第３の観点に係る担体再生方法は、
ユーザデータを記録するユーザデータ記録領域と、ユーザデータ記録領域の構成を示す管理情報を記録する管理情報記録領域とを備える記録担体を読み取ってデータを再生するための方法であって、
担体読出機構が、前記記録担体を読み取ってデータを再生するデータ再生ステップと、
灯光機構の点灯と消灯とを切り換えることにより各種の情報を表示する表示ステップと、
前記データ再生ステップにて前記記録担体の管理情報記録領域を読み取って再生されたデータから、プロセッサが、管理情報を取得することにより、前記記録担体のユーザデータ記録領域に記録されているデータの記録モードを特定し、前記担体読出機構が前記記録担体のユーザデータ記録領域を読み取って再生したデータの記録モードに合わせて、灯光機構の点灯と消灯とを記録モードに対応した時間ごとに切り換えることにより、記録モードを識別可能にして情報を表示させる動作制御ステップとを備える、
ことを特徴とする。
【００１２】
また、この発明の第４の観点に係る光磁気ディスク再生方法は、
光磁気ディスクに記録されているデータを再生するための方法であって、
担体読出機構が、前記光磁気ディスクを読み取ってデータを再生するデータ再生ステップと、
灯光機構の点灯と消灯とを切り換えることにより各種の情報を表示する表示ステップと、
前記データ再生ステップにて前記光磁気ディスクを読み取って再生されたデータから、プロセッサが、Ｕ−ＴＯＣ（User's Table Of Contents）を取得することにより、前記光磁気ディスクに記録されているデータの記録モードを特定し、前記担体読出機構が前記光磁気ディスクから再生したデータの記録モードに合わせて、灯光機構の点灯と消灯とを記録モードに対応した時間ごとに切り換えることにより、記録モードを識別可能にして情報を表示させる動作制御ステップとを備える、
ことを特徴とする。
【００１３】
この発明の第５の観点に係る記録媒体は、
コンピュータを、
ユーザデータを記録するユーザデータ記録領域と、ユーザデータ記録領域の構成を示す管理情報を記録する管理情報記録領域とを備える記録担体を読み取ってデータを再生するデータ再生手段と、
灯光機構の点灯と消灯とを切り換えることにより各種の情報を表示する表示手段と、
前記データ再生手段が前記記録担体の管理情報記録領域を読み取って再生したデータから管理情報を取得することにより前記記録担体のユーザデータ記録領域に記録されているデータの記録モードを特定し、前記データ再生手段が前記記録担体のユーザデータ記録領域を読み取って再生したデータの記録モードに合わせて、前記表示手段が情報を表示している状態で、灯光機構の点灯と消灯とを記録モードに対応した時間ごとに切り換えることにより、記録モードを識別可能にして前記表示手段に情報を表示させる動作制御手段、
として機能させるためのプログラムを記録し、コンピュータ読み取り可能であることを特徴とする。
【００１４】
【発明の実施の形態】
以下に、図面を参照して、この発明の実施の形態に係る担体再生装置について、光磁気ディスク再生装置１００に適用した場合を例に、詳細に説明する。
【００１５】
図１は、この発明の実施の形態に係る光磁気ディスク再生装置１００の構成を示す図である。
この光磁気ディスク再生装置１００は、ディスク状の記録担体に記録されている楽曲データ等の音声情報を含んだユーザデータを、再生可能な機器であり、図１に示すように、担体再生処理部１と、表示部２と、キー入力部３と、処理制御部４とを備えている。
【００１６】
担体再生処理部１は、記録担体１０からユーザデータを再生するためのものであり、例えば、図２に示すように、スピンドルモータ１１と、ＬＤ（Laser Diode）ドライバ１２と、光ピックアップ１３と、リニアモータ１４と、ＲＦアンプ１５と、ディジタル信号処理回路１６とを備えている。
【００１７】
ここで、担体再生処理部１が再生の対象とする記録担体１０は、例えばミニディスク（ＭＤ；Mini Disc〜商標）といった、ディスク状の記録担体である。そして、記録担体１０には、所定のオーディオフォーマットに適合した楽曲データ等の音声情報が記録データ（ユーザデータ）として記録されている。こうした音声情報の記録モードとしては、例えば、モノラルモード、ステレオモード、ＡＴＲＡＣ３−ＬＰ２（Adaptive TRansfer Acoustic Coding 3-Long Play 2）モード及びＡＴＲＡＣ３−ＬＰ４モード等が挙げられる。
【００１８】
スピンドルモータ１１は、ディジタル信号処理回路１６の制御により、ターンテーブルやクランプ機構にて保持する記録担体１０を、所定の回転速度で回転駆動する。
【００１９】
ＬＤドライバ１２は、ディジタル信号処理回路１６の制御により、光ピックアップ１３が備えるレーザダイオードにレーザ光を出力させるための電流を供給する。
【００２０】
光ピックアップ１３は、記録担体１０にレーザ光を照射して楽曲データ等の記録データを再生可能とするためのものである。より詳細には、光ピックアップ１３は、記録データを記録担体１０から再生する際、磁気カー効果を受けた反射光によりデータ信号を検出可能とする低レベルのレーザ光を出力する。光ピックアップ１３は、検出したデータ信号を、ＲＦアンプ１５に送る。
【００２１】
リニアモータ１４は、ディジタル信号処理回路１６の制御により、ディスク状の記録担体１０の半径方向に、光ピックアップ１３を移動させるためのものである。
【００２２】
ＲＦアンプ１５は、光ピックアップ１３が検出した信号に基づいた演算処理等を実行することにより、データ信号である再生ＲＦ信号、トラッキングエラー（ＴＥ）信号、フォーカスエラー（ＦＥ）信号、及び記録担体１０にプリグルーブとして記録されている絶対位置（ＡＤＩＰ；ADdress In Pregroove）情報といったグループ情報等を抽出する。ＲＦアンプ１５は、抽出した各種の信号、情報を、ディジタル信号処理回路１６に送る。
【００２３】
ディジタル信号処理回路１６は、記録担体１０を読み取って再生するユーザデータやアドレス情報のデコード等の信号処理を実行する。
より詳細には、ディジタル信号処理回路１６は、ＲＦアンプ１５から受けた絶対位置情報（ＡＤＩＰ情報）といったアドレス情報をデコードするＡＤＩＰデコーダを備えている。また、ディジタル信号処理回路１６は、ＥＦＭ（Eight-to-Fourteen Modulation）方式の変調が施された再生ＲＦ信号に含まれるＡＴＲＡＣデータ、アドレス及びサブデータ等をデコードするＥＦＭデコーダを備えている。
このように、ディジタル信号処理回路１６は、光ピックアップ１３及びＲＦアンプ１５と一体となって、記録担体１０の読出機構として動作する。
【００２４】
また、ディジタル信号処理回路１６は、ディジタル出力端子ＤＯを介して、外部の機器に、記録担体１０から再生したデータを送信する。さらに、ディジタル信号処理回路１６は、アナログ出力端子ＡＯを介して、外部の機器に、記録担体１０から再生したデータを送信するためのＤＡＣ（Digital/Analog Converter）を備えている。
【００２５】
図１に示す表示部２は、例えばＬＣＤ（Liquid Crystal Display）パネルやダイオード・セグメント等から構成された灯光機構を有し、処理制御部４の制御に従って、各セグメントやピクセル（画素）の点灯と消灯とを切り換えることにより、各種の情報を表示するためのものである。
例えば、表示部２は、図５（ａ）に示すように、担体再生処理部１が記録担体１０から再生中の楽曲データのトラック番号を表示するＴＮＯ（Track No.）表示部１７と、楽曲データのトラック先頭からの再生時間等を表示するための再生時間表示部１８を備えている。
【００２６】
キー入力部３は、例えばプッシュスイッチやキーパッド等から構成され、ユーザの操作に従った指示情報等を入力し、入力した情報を処理制御部４に供給する。
【００２７】
処理制御部４は、例えばＣＰＵ（Central Processing Unit）及び周辺ＬＳＩ（Large Scale Integration）を含んだ１チップマイコン等から構成され、この光磁気ディスク再生装置１００全体の動作を制御するためのものである。
例えば、処理制御部４は、記録担体１０が担体再生処理部１にセットされてスピンドルモータ１１による回転駆動が可能に設置されると、ディジタル信号処理回路１６に読出を指示し、記録担体１０の管理情報エリアから読み出されたＵ−ＴＯＣ（User's Table Of Contents）等の管理情報を取得する。また、処理制御部４は、キー入力部３からユーザデータの再生を開始する旨の指示情報が入力されると、記録担体１０から読み出した管理情報に基づいてディジタル信号処理回路１６を制御することにより、ユーザデータを再生させる。この際、処理制御部４は、ディジタル信号処理回路１６が備えるＡＤＩＰデコーダがデコードしたアドレス情報（ＡＤＩＰアドレス情報）や、ＥＦＭデコーダがデコードしたアドレス情報（ＥＦＭアドレス情報）等を取得し、再生時間やトラック番号、記録モード（例えば、モノラルモードやステレオモード等）等の情報を、表示部２に表示させる。
【００２８】
次に、上記構成を有する光磁気ディスク再生装置１００により楽曲データ等のユーザデータが記録／再生される記録担体１０の構成について、さらに説明する。
記録担体１０は、例えば３６セクタを１記録再生動作単位（クラスタ）としてユーザデータの記録／再生が可能な担体である。記録担体１０は、楽曲データ等のユーザデータを記録するユーザデータ記録エリア（ユーザエリア）と、ユーザデータ記録エリアの構成を管理するための管理情報を記録する管理情報エリアとを備えている。
【００２９】
管理情報エリアには、管理情報として、例えばＵ−ＴＯＣが記録されている。
図３は、セクタ０のＵ−ＴＯＣの構成を例示する図である。
図示するように、セクタ０のＵ−ＴＯＣは、第０行目から第５８７行目までの５８８×４バイトのデータからなり、ユーザエリアに記録された楽曲データ等のユーザデータを管理するための情報等を含んでいる。なお、図３において”ｈ”を付して示す数値は、いわゆる１６進表記の数値である。
【００３０】
図３に示すＵ−ＴＯＣの第１２行目から第７５行目までに設けられたＰ−ＴＮＯｎ（ｎ；１〜２５５）は、記録担体１０に記録された楽曲データ等の記録位置を管理するポインタテーブルである。例えば、Ｐ−ＴＮＯ１は、１曲目（トラック番号が”１”）の楽曲に相当する楽曲データが記録されたセクタを示すパーツテーブルの先頭のバイトポジションを指定する。
【００３１】
また、図３に示すＵ−ＴＯＣの第７８行目以降は、Ｐ−ＴＮＯｎで指定されたパートごとに特定される各トラックの開始アドレス（Start Address）や終了アドレス（End Address）を示すパーツテーブルである。
ここで、パートごとに設けられたTrack Modeは、各トラックにおける楽曲データ等の記録モードを示している。例えば、Track Modeは、モノラルモードやステレオモード、ＡＴＲＡＣ３−ＬＰ２モード、ＡＴＲＡＣ３−ＬＰ４モード等を示している。
【００３２】
図４は、Track Modeにて指定される記録モードの詳細を示す図であり、図示するように、Track Modeは、８ビットのデータを用いて、各トラックにおける楽曲データの記録モード等を示している。
【００３３】
以下に、この発明の実施の形態に係る光磁気ディスク再生装置１００の動作を説明する。
この光磁気ディスク再生装置１００は、記録担体１０から読み出したデータの記録モードに応じて、表示部２の表示動作を切り換えることにより、記録担体１０から再生中のデータの記録モードを識別可能とした装置である。
【００３４】
光磁気ディスク再生装置１００は、スピンドルモータ１１を駆動して記録担体１０を回転させ、リニアモータ１４により光ピックアップ１３を記録データの読出位置まで移動させる。また、ディジタル信号処理回路１６は、ＬＤドライバ１２により光ピックアップ１３が備えるレーザダイオードを駆動して、レーザ光を出射させる。
光ピックアップ１３は、レーザ光を記録担体１０に照射して戻り光を検出し、電気信号に変換してＲＦアンプ１５に送る。
【００３５】
ＲＦアンプ１５は、光ピックアップ１３から受けた信号に基づいた演算処理等を実行し、データ信号である再生ＲＦ信号、トラッキングエラー（ＴＥ）信号、フォーカスエラー（ＦＥ）信号等を抽出する。ＲＦアンプ１５は、抽出した各種の信号をディジタル信号処理回路１６に送る。
【００３６】
ディジタル信号処理回路１６は、ＲＦアンプ１５から受けた信号をデコードするなどの所定の処理を実行し、再生した楽曲データ等の音声情報を、適宜アナログ出力端子ＡＯや、ディジタル出力端子ＤＯ等に出力する。例えば、ディジタル信号処理回路１６は、ＲＦアンプ１５から受けたＥＦＭ方式の変調が施された再生ＲＦ信号から、ＡＴＲＡＣデータをデコードするなどの信号処理を実行する。
【００３７】
こうして記録担体１０に記録されているデータが再生されている間に、処理制御部４は、ディジタル信号処理回路１６が再生した信号からＡＤＩＰアドレス情報やＥＦＭアドレス情報等を取得し、図５（ａ）に例示するように、表示部２に再生時間やトラック番号等を表示させる。
【００３８】
この際、処理制御部４は、記録担体１０から読み出したＵ−ＴＯＣ等の管理情報より、再生中のデータの記録モードを特定し、特定した記録モードに応じて表示部２の表示を制御することにより、再生中のデータの記録モードを確認可能とする。
【００３９】
例えば、記録担体１０から読み出したＵ−ＴＯＣ等の管理情報より、再生中の楽曲データに付されたトラック番号に対応して、処理制御部４により特定された記録モードが、ＡＴＲＡＣ３−ＬＰ２モードであったとする。この場合、処理制御部４は、表示部２の表示動作を制御して、例えば図５（ａ）、（ｂ）に示すように、ＴＮＯ表示部１７がトラック番号を表示するために点灯させているセグメント等の灯光機構を、５００ｍｓごとに、点灯と消灯とを切り換えさせる。
すなわち、処理制御部４は、図６（ａ）に示すように、ＴＮＯ表示部１７が表示させているセグメントを５００ｍｓの間だけ継続して点灯させたのち、５００ｍｓの間だけ消灯させる。処理制御部４は、記録担体１０から再生中の楽曲データの記録モードがＡＴＲＡＣ３−ＬＰ２モードであることに対応して表示部２の表示動作を制御することにより、ＴＮＯ表示部１７の点灯と消灯とを５００ｍｓごとに切り換え、記録モードを確認可能とする。
【００４０】
また、例えば、記録担体１０から読み出したＵ−ＴＯＣ等の管理情報より、再生中の楽曲データに付されたトラック番号に対応して、処理制御部４により特定された記録モードが、ＡＴＲＡＣ３−ＬＰ４モードであったとする。この場合、処理制御部４は、表示部２の表示動作を制御して、ＴＮＯ表示部１７がトラック番号を表示するために点灯させているセグメント等の灯光機構を、３００ｍｓごとに、点灯と消灯とを切り換えさせる。
すなわち、処理制御部４は、図６（ｂ）に示すように、ＴＮＯ表示部１７が表示されているセグメントを３００ｍｓの間だけ継続して点灯させたのち、３００ｍｓの間だけ消灯させる。処理制御部４は、記録担体１０から再生中の楽曲データの記録モードがＡＴＲＡＣ３−ＬＰ４モードであることに対応して表示部２の表示動作を制御することにより、ＴＮＯ表示部１７の点灯と消灯とを３００ｍｓごとに切り換え、記録モードを確認可能とする。
【００４１】
このように、例えば記録担体１０から再生中の楽曲データの記録モードに対応した時間ごとに、ＴＮＯ表示部１７の点灯と消灯とを切り換えることで、新たなレベルメータ等の灯光機構を付加することなく、記録モードを確認可能とすることができる。すなわち、例えば、ＡＴＲＡＣ３−ＬＰ２モードやＡＴＲＡＣ３−ＬＰ４モードといった、新しい記録モードで記録担体１０に記録されているデータを、簡単且つ明確に確認することができる。
なお、記録担体１０から再生したデータの記録モードがモノラルモードやステレオモードであった場合には、従来と同様に、表示部２が備えるレベルメータの点灯と消灯とを切り換えるなどすることにより、記録モードを確認可能とすればよい。
【００４２】
次に、図７に示すフローチャートを参照して、記録担体１０に記録されているデータを再生する際における処理制御部４の動作について説明する。
【００４３】
処理制御部４は、担体再生処理部１に記録担体１０がセットされて記録データの読取が可能となると、担体再生処理部１を制御して記録担体１０を読み取らせ、管理情報エリアに記録されているＵ−ＴＯＣ等の管理情報を取得する。これにより、処理制御部４は、記録担体１０に記録されているデータの記録モードを、トラックごとに特定することができる（ステップＳ１）。
こののち、例えば、処理制御部４は、キー入力部３から入力された指示情報に従って、担体再生処理部１に記録担体１０の再生を開始させる。
【００４４】
この際、処理制御部４は、上記ステップＳ１にて特定した記録モードに基づいて、表示部２において、記録モードに対応して灯光機構の点灯と消灯とを切り換える部位を選択する（ステップＳ２）。例えば、処理制御部４は、灯光機構の点灯と消灯とを切り換える部位として、表示部２が備えるＴＮＯ表示部１７を選択する。
ここで、処理制御部４は、記録モードと灯光機構の切換動作との対応関係を、例えば、処理制御部４が備えるメモリ等に制御情報として予め記憶しておくことで、表示部２の表示動作を制御することができる。
【００４５】
こののち、処理制御部４は、表示部２の表示動作を制御して、記録モードに対応した灯光機構の切換動作を実行し、記録担体１０から再生したデータの記録モードを確認可能とする（ステップＳ３）。この際、処理制御部４は、表示部２において各種の情報を表示している、例えばＴＮＯ表示部１７といった、灯光機構の点灯と消灯とを記録モードに対応した時間ごとに切り換えることにより、記録モードを簡単且つ明確に確認可能とする。
【００４６】
以上説明したように、この発明によれば、記録担体１０から読み出したＵ−ＴＯＣ等の管理情報より、再生中のデータの記録モードを特定し、表示部２にて各種の情報を表示する灯光機構の点灯と消灯とを、記録モードに対応した時間ごとに切り換えることができる。
これにより、例えば記録モードがＡＴＲＡＣ３−ＬＰ２モードやＡＴＲＡＣ３−ＬＰ４モードといった、新しい記録モードである場合にも、新たなレベルメータ等の灯光機構を付加することなく、記録モードを簡単且つ明確に確認することができる。
【００４７】
上記実施の形態では、一例として、ＴＮＯ表示部１７の点灯と消灯とを切り換えるものとして説明したが、表示部２が他の情報を表示している場合に、灯光機構の点灯と消灯とを切り換えるようにしてもよい。
例えば、図８（ａ）、（ｂ）に示すように、表示部２が楽曲データのタイトル等の文字情報を表示している際に、灯光機構の点灯と消灯とを切り換えるようにしてもよい。
【００４８】
また、この発明は、光磁気ディスク再生装置に限定されるものではなく、例えば、ＣＤ（Compact Disc）やＤＶＤ（Digital Versatile Disc）といった、楽曲データ等のデータを異なる記録モードで記録可能な記録担体からデータを再生する担体再生装置に、適用することができる。
さらに、ディスク状の記録担体に限定されず、例えばフラッシュＥＥＰＲＯＭ（Electronically Erasable and Programmable Read Only Memory）を用いたメモリーカード等の記録担体からデータを再生する担体再生装置にも、適用可能である。
【００４９】
この発明の担体再生装置は、専用の装置を必要とせず、通常の担体再生装置として機能するコンピュータを用いても実現可能である。すなわち、担体再生装置として機能するコンピュータに上述の処理を実行させるためのプログラムを、記録媒体（フロッピーディスク、ＣＤ−ＲＯＭ、ＭＯ、ＲＯＭ等）に記録して配布し、これをコンピュータにインストールして実行させることにより、この発明の担体再生装置として機能させることができる。インストールによって、当該プログラムは、コンピュータ内のメモリ等の媒体に記録されて、実行に供される。
【００５０】
ここで、プログラムを配布する方法は、記録媒体によるものに限らず、例えば、インターネット等の通信ネットワークを使用するものであってもよい。この場合には、例えば、インターネット上に設けたＦＴＰ（File Transfer Protocol）サーバに当該プログラムを登録し、ＦＴＰクライアントにネットワークを介して配信すればよい。また、通信ネットワーク上の電子掲示板（ＢＢＳ；Bulletin Board System）等に当該プログラムを登録し、これをネットワークを介して配信してもよい。
【００５１】
【発明の効果】
以上の説明のように、この発明によれば、記録担体から管理情報を読み出して記録モードを特定し、再生中のデータの記録モードに対応した時間ごとに、灯光機構の点灯と消灯とを切り換えることができる。
これにより、記録担体から再生中のデータの記録モードを、簡単且つ明確に確認することができる。
【図面の簡単な説明】
【図１】この発明の実施の形態に係る光磁気ディスク再生装置の構成を示す図である。
【図２】担体再生処理部の構成を示す図である。
【図３】セクタ０のＵ−ＴＯＣの構成を例示する図である。
【図４】  Track Modeにて指定される記録モードの詳細を示す図である。
【図５】表示部の表示動作を説明するための図である。
【図６】記録モードに対応して灯光機構の点灯と消灯とを切り換える動作を説明するためのタイミングチャートである。
【図７】記録担体に記録されているデータを再生する際における処理制御部の動作を説明するためのフローチャートである。
【図８】この発明の実施の形態に係る光磁気ディスク再生装置の変形例における表示動作を説明するための図である。
【符号の説明】
１    担体再生処理部
２    表示部
３    キー入力部
４    処理制御部
１０    記録担体
１１    スピンドルモータ
１２    ＬＤドライバ
１３    光ピックアップ
１４    リニアモータ
１５    ＲＦアンプ
１６    ディジタル信号処理回路
１７    ＴＮＯ表示部
１８    再生時間表示部
１００    光磁気ディスク再生装置
ＡＯ    アナログ出力端子
ＤＯ    ディジタル出力端子
【図１】
0003679330.tif 000002
【図２】
0003679330.tif 000003
【図３】
0003679330.tif 000004
【図４】
0003679330.tif 000005
【図５】
0003679330.tif 000006
【図６】
0003679330.tif 000007
【図７】
0003679330.tif 000008
【図８】
0003679330.tif 000009